(57)【要約】【課題】建物内光伝送路において、建物のテナントまたは居住者等に光ケーブルを短期間にかつ低コストで提供することを可能とすることである。【解決手段】建物内光伝送路１０は、幹線光ケーブルから建物１２内に引き込まれる支線光ケーブル１４と、建物１２内に配置され、支線光ケーブル１４を建物１２の各階へ分岐する階別分配器１６と、階別分配器１６に接続され、建物１２の各階へ敷設される階別光ケーブル１８と、建物１２の各階に配置され、階別光ケーブル１８を各階の各区域２０へ分岐する区域分配器２２と、区域分配器２２に接続され、各階の各区域２０へ敷設される区域光ケーブル２４と、を備える建物内光伝送路１０において、階別光ケーブル１８は、建物１２におけるエスカレータ２６のトラス構造体２８に配置される。【選択図】図１
2007206357.tif 000002
【特許請求の範囲】
【請求項１】
幹線光ケーブルから建物内に引き込まれる支線光ケーブルと、
建物内に配置され、支線光ケーブルを建物の各階へ分岐する階別分配器と、
階別分配器に接続され、建物の各階へ敷設される階別光ケーブルと、
建物の各階に配置され、階別光ケーブルを各階の各区域へ分岐する区域分配器と、
区域分配器に接続され、各階の各区域へ敷設される区域光ケーブルと、
を備える建物内光伝送路において、
階別光ケーブルは、建物におけるエスカレータのトラス構造体に配置されることを特徴とする建物内光伝送路。
【請求項２】
請求項１に記載の建物内光伝送路において、
階別光ケーブルは、トラス構造体の弦部材に配置されることを特徴とする建物内光伝送路。
【請求項３】
請求項１または２に記載の建物内光伝送路において、
階別光ケーブルは、保護管に通して配置されることを特徴とする建物内光伝送路。
【発明の詳細な説明】
【技術分野】
【０００１】
本発明は、建物内光伝送路に係り、特に、光ケーブルと分配器とから構成される建物内光伝送路に関する。
【背景技術】
【０００２】
ＬＡＮ（Ｌｏｃａｌ  Ａｒｅａ  Ｎｅｔｗｏｒｋ）の利用等を目的として、建物、特にショッピングビル、オフィスビルまたはマンション等への光ケーブルの敷設が多くなされている。このような建物への光ケーブルの敷設方式は、幹線光ケーブルから分岐した支線光ケーブルを建物内に引き込んで、支線光ケーブルを分配器等で分岐して、建物のテナントや居住者等に提供されている。
【０００３】
従来、建物内へ光ケーブルを敷設する場合には、建物の各階の床壁に穴開けし、建物の高さ方向に光ケーブルを敷設する必要がある。そのために、まず各階の床壁をＸ線による非破壊検査等で検査して、床壁の中に埋め込まれている電気ケーブルや配管の位置を事前調査する。そして、それらの場所を避けて床壁に穴開け施工して、その穴に配管を設置して、配管中に光ケーブルを敷設する方法が行われている。
【発明の開示】
【発明が解決しようとする課題】
【０００４】
このように、建物の各階の床壁に穴開け施工を行うことは、非破壊検査等による事前調査と床壁が厚いことによる大規模工事とが必要になることから、工期とコストが増大するという問題がある。
【０００５】
そこで、本発明の目的は、建物のテナントや居住者等に、光ケーブルを短期間にかつ低コストの工事で敷設することが可能な建物内光伝送路を提供することである。
【課題を解決するための手段】
【０００６】
本発明に係る建物内光伝送路は、幹線光ケーブルから建物内に引き込まれる支線光ケーブルと、建物内に配置され、支線光ケーブルを建物の各階へ分岐する階別分配器と、階別分配器に接続され、建物の各階へ敷設される階別光ケーブルと、建物の各階に配置され、階別光ケーブルを各階の各区域へ分岐する区域分配器と、区域分配器に接続され、各階の各区域へ敷設される区域光ケーブルとを備える建物内光伝送路において、階別光ケーブルは、建物におけるエスカレータのトラス構造体に配置されることを特徴とする。
【０００７】
本発明に係る建物内光伝送路は、階別光ケーブルが、トラス構造体の弦部材に配置されることが好ましい。
【０００８】
本発明に係る建物内光伝送路は、階別光ケーブルが、保護管に通して配置されることが好ましい。
【発明の効果】
【０００９】
本発明に係る建物内光伝送路によれば、床壁の非破壊検査等による事前調査や穴開け施工が不要となり、光ケーブルの敷設が容易になる。したがって、建物のテナントや居住者等に、光ケーブルを短期間にかつ低コストの工事で敷設することが可能な建物内光伝送路を提供できる。
【発明を実施するための最良の形態】
【００１０】
以下に図面を用いて本発明に係る実施の形態につき、詳細に説明する。図１は、建物内光伝送路１０の構成を示す図である。建物内光伝送路１０は、建物１２、特に、ショッピングビル、オフィスビルまたはマンション等の複数階を有する建物１２に配置される。以下の説明では、建物１２は、３階建てであるが、それ以外の階数を有していてもよい。例えば、建物１２は、２階建てであってもよいし、１０階建てでもよい。また、以下の説明では、建物内光伝送路１０は、建物１２の地下から導入されるようにしているが、勿論、これに限定されることはなく、地上又は高層から導入されるようにしてもよい。
【００１１】
建物内光伝送路１０は、図示されていない幹線光ケーブルから建物１２内に引き込まれる支線光ケーブル１４と、建物１２に配置され、支線光ケーブル１４を建物１２の各階へ分岐する階別分配器１６と、階別分配器１６に接続され、建物１２の各階へ敷設される階別光ケーブル１８と、建物１２の各階に配置され、階別光ケーブル１８を建物１２の各区域２０へ分岐する区域分配器２２と、区域分配器２２に接続され、建物１２の各区域２０へ敷設される区域光ケーブル２４とを備えている。
【００１２】
支線光ケーブル１４は、図示されていない幹線光ケーブルのデータ通信容量のデータを、建物１２内に伝送する機能を有する光ケーブルである。支線光ケーブル１４に使用される光ケーブルは、心線がプラスチック又は高純度のガラスでできており、その周りは合成樹脂等で被覆されているものが一般的に使用される。図１では、支線光ケーブル１４は１本であるが、勿論、これに限定されることはなく、複数本であってもよい。
【００１３】
階別分配器１６は、支線光ケーブル１４を複数の階別光ケーブル１８に分岐する機能を有する光分配器であり、支線光ケーブル１４と接続される。階別分配器１６は、支線光ケーブル１４を接続する入力側接続端子と、階別光ケーブル１８を接続する出力側接続端子とを有し、入力側接続端子と出力側接続端子とは光配線回路で接続されている。図１では、階別分配器１６はエスカレータ２６の外側に配置されているが、勿論、これに限定されることはなく、エスカレータ２６における機械室等のエスカレータ２６内に配置されていてもよいし、建物１２内又は屋外でもよい。階別分配器１６は、ＭＤＦ（Ｍａｉｎ  Ｄｉｓｔｒｉｂｕｔｉｏｎ  Ｆｒａｍｅ）装置やＰＯＮ（Ｐａｓｓｉｖｅ  Ｏｐｔｉｃａｌ  Ｎｅｔｗｏｒｋ）装置等で一般的に構成される。
【００１４】
階別分配器１６は、支線光ケーブル１４が１本引き込まれる場合と複数本引き込まれる場合とを切り替える切替回路を有している。ここで、複数の支線光ケーブル１４を接続する場合には、階別分配器１６は、光交換回路を有している。この交換回路は、特定の支線光ケーブル１４で伝送されるデータを、指定されたテナントや居住者等のパソコン等の端末へ伝送するための回路である。また、あるテナントや居住者等が、専用に光ケーブルを引き込みたい場合には、階別分配器１６に特設することも可能である。さらに、階別分配器１６は、光帯域制御回路も有している。この制御回路は、支線光ケーブル１４で伝送されるデータ通信容量のデータを、各階別光ケーブル１８に均等に分配することもできるし、各階別光ケーブル１８ごとに異なるデータ通信容量を設定することもできる回路である。
【００１５】
階別光ケーブル１８は、支線光ケーブル１４のデータ通信容量のデータを、建物１２の各階へ伝送する機能を有する光ケーブルである。階別光ケーブル１８に使用される光ケーブルは、上述した支線光ケーブル１４と同様な構成の光ケーブルが、一般的に使用される。
【００１６】
階別光ケーブル１８は、エスカレータ２６内に、エスカレータ２６の運行の障害にならないように配置される。そして、階別光ケーブル１８は、建物１２におけるエスカレータ２６のトラス構造体２８に配置されることができる。図２は、エスカレータ２６のトラス構造体２８に配置された階別光ケーブル１８を示す図である。エスカレータ２６は、一般的に、踏段駆動機構、制御盤、移動手すり駆動装置等を支持するためのトラス構造体２８を有している。そして、このようなトラス構造体２８は、上弦部材または下弦部材等である弦部材と、鉛直部材、斜部材または端部材等である腹部材とを含んで構成される。トラス構造体２８の各部材には、例えば、Ｌ字型の鋼材等が用いられる。階別光ケーブル１８は、トラス構造体２８のこのような部材に沿って配置される。勿論、階別光ケーブル１８は、このような配置に限定されることはなく、トラス構造体２８の各部材に囲まれた空間にワイヤー等のガイドを設けて、ガイドに沿って配置するようにしてもよい。
【００１７】
階別光ケーブル１８は、電気ケーブルや電線等を配線するための電気配管３０等の既設配管設備を用いて、エスカレータ２６の外側からエスカレータ２６におけるトラス構造体２８内の下部機械室３２に導入される。そして、階別光ケーブル１８は、エスカレータ２６におけるトラス構造体２８内の上部機械室３４から、上述した電気配管３０等の既設配管設備を用いて、取り出される。また、トラス構造体２８に無線ＬＡＮにおけるアクセスポイントを設置して、無線によりエスカレータ２６の外側と中継するようにしてもよい。勿論、階別光ケーブル１８のエスカレータ２６内への導入方法やエスカレータ２６内からの取り出し方法は、上記方法に限定されることはない。
【００１８】
また、階別光ケーブル１８は、トラス構造体２８の弦部材に配置されることが好ましい。上述したように、上弦部材または下弦部材である弦部材は、一方の階から他方の階まで略直線状に設けられているため、階別光ケーブル１８の長さをできるだけ短くすることができるとともに、階別光ケーブル１８の屈曲等が最小限となるように配置することができるからである。図３は、トラス構造体２８の部材３６に配置された階別光ケーブル１８を示す図である。階別光ケーブル１８は、トラス構造体２８の部材３６に、図３に示すようなＬ字型の部材３６を用いた場合には、部材３６のＲ部等の隅に安定させて配置されることが好ましい。勿論、階別光ケーブル１８のトラス構造体２８の各部材３６への配置は、このような配置に限定されることはない。
【００１９】
そして、階別光ケーブル１８は、機械油等による汚染を抑えるために保護部材により保護されることが好ましい。保護部材には、例えば、電線管等に使用される保護管３８を用いることができる。そして、階別光ケーブル１８を、図３に示すように、保護管３８に通して配置することができる。このように、保護管３８の中に階別光ケーブル１８を通してトラス構造体２８の各部材に配置することで、階別光ケーブル１８の損傷や汚染等を抑制することができる。ここで、保護部材には、金属材料または合成樹脂材料等を用いることができる。勿論、保護部材は、保護管３８に限定されることはなく、保護カバー等の他の部材を用いてもよい。図４は、階別光ケーブル１８を通した保護管３８を固定する方法を示す図である。図４に示すように、階別光ケーブル１８を通した保護管３８は、金属材料等の止め具４０等を用いてボルト締め等によりトラス構造体２８の各部材３６に固定される。
【００２０】
上記では、階別光ケーブル１８は、エスカレータ２６のトラス構造体２８に配置されるということで説明したが、勿論、他の条件次第では、エスカレータ２６の他の部分に階別光ケーブル１８を配置することもできる。そのような場合には、階別光ケーブル１８は、エスカレータ２６における移動手すり、内側板、デッキボードまたはスカートガード等の欄干部分や、トラス構造体２８をカバーする外側板等に配置されることができる。また、階別光ケーブル１８は、新たな配管工事を抑えるために、エスカレータ２６の電気ケーブルや電線等を配線するための電気配管３０等の既設配管設備に通して配置されることもできる。
【００２１】
階別光ケーブル１８は、各階１本配置されることが好ましい。これは、配置が容易であることや配置するスペースが狭くて済むからである。また、テナントや居住者等の数にかかわらず設置できるため、テナントや居住者等の数の事前調査が不要であり、工事の標準化が行いやすいからである。勿論、階別光ケーブル１８は、各階１本に限られず、各階に複数本配置されることも可能である。
【００２２】
再度、図１に戻り、区域分配器２２は、階別光ケーブル１８を複数の区域光ケーブル２４に分岐する機能を有する光分配器であり、階別光ケーブル１８と接続される。区域分配器２２は、階別光ケーブル１８を接続する入力側接続端子と、区域光ケーブル２４を接続する出力側接続端子とを有し、入力側接続端子と出力側接続端子とは光配線回路で接続されている。区域分配器２２は、光帯域制御回路を有している。この制御回路は、階別光ケーブル１８で伝送されるデータ通信容量のデータを、各区域光ケーブル２４に均等に分配することもできるし、各区域光ケーブル２４ごとに異なるデータ通信容量を設定することもできる。図１では、区域分配器２２は、エスカレータ２６の外側で床に配置されているが、勿論、これに限定されることはなく、エスカレータ２６における機械室等のエスカレータ２６内に配置されてもよいし、床でもよい。
【００２３】
区域光ケーブル２４は、区域分配器２２に接続され、建物１２内の各階の各区域２０へ敷設される。ここで、各区域２０とは、各テナントの区域２０や各居住者等の区域２０であるが、勿論、これらに限定されることはない。区域光ケーブル２４に使用される光ケーブルは、上述した支線光ケーブル１４と同様な構成のものが一般的に使用される。区域光ケーブル２４は、メディアコンバーター等の変換器に接続され、区域光ケーブル２４の光信号を電気信号に変換してテナントや居住者等のパソコン等の端末へ伝送する。また。図１では、区域光ケーブル２４を各テナントや居住者等の区域２０に１本配置しているが、複数本配置することも可能である。さらに、将来的にテナントや居住者等の各区域２０が増える場合には、区域分配器２２から区域光ケーブル２４を、新たに引き込むことができる。
【００２４】
次に本発明に係る実施形態の作用について説明する。３階建ての建物１２に支線光ケーブル１４により、例えば、１．２Ｇｂｐｓのデータ通信容量が伝送されると、建物１２内のテナントや居住者等が同一のデータ通信容量を必要とする場合には、階別分配器１６で各階４００Ｍｂｐｓずつ均等に分配される。また、各階のテナントや居住者等が異なるデータ通信容量を必要とする場合には、例えば、１階５００Ｍｂｐｓ、２階４００Ｍｂｐｓ、３階３００Ｍｂｐｓと、各階で異なるデータ通信容量に分配することができる。
【００２５】
各階に分配されたデータ通信容量は、階別光ケーブル１８により各階に伝送される。区域分配器２２は、階別光ケーブル１８により伝送されたデータ通信容量を、各階のテナントや居住者等の各区域２０に分配する。例えば、建物１２の３階用に階別光ケーブル１８で３００Ｍｂｐｓ伝送される場合において、３階にデータ通信の対象となるテナントや居住者等の区域２０が３区域あり、各区域２０のテナントまたは居住者等が同一のデータ通信容量を必要とする場合には、各区域２０に１００Ｍｂｐｓずつ均等に分配することができる。また、各区域２０におけるテナントまたは居住者等の必要としているデータ通信容量が異なる場合には、１５０Ｍｂｐｓ、１００Ｍｂｐｓ、５０Ｍｂｐｓのように異なるデータ通信容量を分配することができる。
【００２６】
上記構成によれば、建物におけるエスカレータのトラス構造体に階別光ケーブルを配置するため、床壁の非破壊検査等による事前調査や穴開け施工が不要となり、光ケーブルの敷設が容易になる。また、上記構成によれば、エスカレータは、一般的に、建物における各階の略中央部分に設置されているため、各階におけるテナントまたは居住者等の各区域への光ケーブルの敷設が容易になる。したがって、建物内のテナントや居住者等に、光ケーブルを短期間にかつ低コストの工事で敷設することが可能な建物内光伝送路を提供できる。
【００２７】
次に、図面を用いて本発明に係る他の実施の形態につき、詳細に説明する。なお、上述した実施形態と同様な要素には同一の符号を付して詳細な説明を省略する。図５は、建物内光伝送路５０を示す図である。
【００２８】
建物内光伝送路５０は、図示されていない幹線光ケーブルから建物１２内に引き込まれる支線光ケーブル１４と、建物１２に配置され、支線光ケーブル１４を建物１２の各階へ分岐する階別分配器１６と、階別分配器１６に接続され、建物１２の各階へ敷設される階別光ケーブル１８と、建物１２の各階に配置され、階別光ケーブル１８を建物１２の各区域２０へ分岐する第１階間区域分配器５２と、第１階間区域分配器５２に接続され、建物１２の階間に敷設される階間光ケーブル５４または建物１２の各区域２０へ敷設される光ケーブル５６と、階間光ケーブル５４を建物１２の各区域２０へ分岐する第２階間区域分配器５８とを備えている。
【００２９】
支線光ケーブル１４は、階別分配器１６により複数の階別光ケーブル１８に分岐される。そして、階別光ケーブル１８は、支線光ケーブル１４のデータ通信容量のデータを、建物１２の各階へ伝送する。ここで、階別光ケーブル１８は、建物１２のエレベータ昇降路６０内に配置することができる。勿論、他の条件次第では、階別光ケーブル１８は、ＥＰＳ（Ｅｌｅｃｔｒｉｃ  Ｐｉｐｅ  Ｓｈａｆｔ）等に配置してもよく、これらの配置に限定されることはない。そして、階別光ケーブル１８は、第１階間区域分配器５２により、階間光ケーブル５４と建物１２の各区域２０へ敷設される光ケーブル５６とに分岐される。
【００３０】
第１階間区域分配器５２は、階別光ケーブル１８を階間光ケーブル５４と建物１２の各区域２０へ敷設される光ケーブル５６とに分岐する機能を有する光分配器であり、階別光ケーブル１８と接続される。そして、第１階間区域分配器５２の構成、配置等については、上述した区域分配器２２と同様である。
【００３１】
階間光ケーブル５４は、階別光ケーブル１８のデータ通信容量のデータを、建物１２の階間における一方の階から他方の階へ伝送する機能を有する光ケーブルであり、その構成等は、階別光ケーブル１８と同様である。階間光ケーブル５４は、建物１２におけるエスカレータ２６のトラス構造体２８に配置されることができ、トラス構造体２８の弦部材に配置されることが好ましい。そして、階間光ケーブル５４は、保護管に通して配置されてもよい。また、階間光ケーブル５４は、図５では、１本示されているが複数本であってもよい。階間光ケーブル５４は、第２階間区域分配器５８により、建物１２の各区域２０へ敷設される光ケーブル５６に分岐される。
【００３２】
第２階間区域分配器５８は、階間光ケーブル５４を建物１２の各区域２０へ敷設される光ケーブル５６に分岐する機能を有する光分配器であり、階間光ケーブル５４と接続される。そして、第２階間区域分配器５８の構成、配置等については、上述した区域分配器２２と同様である。また、第２階間区域分配器５２は、階間光ケーブル５４を、更に、他の階間光ケーブルに分岐することができる機能を有していてもよい。
【００３３】
上記構成によれば、建物内の各区域が、エレベータ昇降路又はＥＰＳ等から離れている場合において、エスカレータ内に階間光ケーブルを敷設等して建物の階間におけるネットワークを延長することにより、建物内光伝送路を容易に提供することができる。
【図面の簡単な説明】
【００３４】
【図１】本発明に係る実施形態である建物内光伝送路１０を示す図である。
【図２】本発明に係る実施形態であるエスカレータ２６のトラス構造体２８に配置された階別光ケーブル１８を示す図である。
【図３】本発明に係る実施形態であるトラス構造体２８の部材３６に配置された階別光ケーブル１８を示す図である。
【図４】本発明に係る実施形態である階別光ケーブル１８を通した保護管３８を固定する方法を示す図である。
【図５】本発明に係る他の実施形態である建物内光伝送路５０を示す図である。
【符号の説明】
【００３５】
１０，５０  建物内光伝送路、１２  建物、１４  支線光ケーブル、１６  階別分配器、１８  階別光ケーブル、２０  区域、２２  区域分配器、２４  区域光ケーブル、２６  エスカレータ、２８  トラス構造体、３０  電気配管、３２  下部機械室、３４  上部機械室、３６  部材、３８  保護管、４０  止め具、５２  第１階間区域分配器、５４  階間光ケーブル、５８  第２階間区域分配器、６０  エレベータ昇降路。
【図１】
2007206357.tif 000003
【図２】
2007206357.tif 000004
【図３】
2007206357.tif 000005
【図４】
2007206357.tif 000006
【図５】
2007206357.tif 000007